(57)【要約】【課題】面状発熱体の発熱による構成各部の変形を抑え付けてフローリング材の隆起や繋ぎ目部分のめくり上がりを防止する。【解決手段】面状発熱体２の上面に上部板材、下面に断熱材層を介して下部板材をそれぞれ重ねられて一体化されたものである。面状発熱体２は、上下に重ねられかつ外周縁が接合された２枚の絶縁シート２ａ，２ｂより成る。一方の絶縁シート２ａの内面には、発熱部２０と電極部２１とから成る複数の導電領域８Ａ〜８Ｆが中間に第１の非導電領域８０を介在させて形成されている。各導電領域８Ａ〜８Ｆの領域内には、スポット状であって他方の絶縁シート２ｂに接合された第２の非導電領域８１が形成されている。前記断熱材層には、面状発熱体２の第１、第２の各非導電領域８０，８１が対応する位置に、釘打ちが可能な木質部が設けられている。【選択図】図３
2007139294.tif 000002
【特許請求の範囲】
【請求項１】
面状発熱体の上面に上部板材、下面に断熱材層を介して下部板材がそれぞれ重ねられて一体化された床暖房用パネルにおいて、前記面状発熱体は、上下に重ねられかつ外周縁が接合された２枚の絶縁シートの一方の内面に、発熱部と電極部とから成る導電領域が形成されるとともに、前記導電領域の領域内には、スポット状であって他方の絶縁シートに接合された複数の非導電領域が形成されており、前記断熱材層には、各非導電領域が対応する位置に、木質部が設けられて成る床暖房用パネル。
【請求項２】
前記面状発熱体は、外周縁の複数箇所に絶縁シート間の隙間に連通する空気抜き用の孔が形成されている請求項１に記載された床暖房用パネル。
【請求項３】
請求項１または２に記載された床暖房用パネルであって、前記面状発熱体上にシート状の電位治療器が配備されている床暖房用パネル。
【発明の詳細な説明】
【技術分野】
【０００１】
この発明は、下地床上に暖房床を構築するのに用いられる床暖房用パネルに関する。
【背景技術】
【０００２】
一般に暖房床は、図８に示すように、下地床上に複数枚の床暖房用パネル１０１を整列して並べ、その上にフローリング材１１０を敷設して構成されている。
従来、その種の床暖房用パネル１０１として、図９に示すように、面状発熱体１０２の上面に上部板材１０３を、下面に断熱材層１０４を介して下部板材１０５を、それぞれ重ねて一体化されたものが用いられている（例えば、特許文献１参照）。
【０００３】
【特許文献１】特開２００３−１３０３７７号公報
【０００４】
前記面状発熱体１０２は、表面に発熱部と電極部とから成る導電領域が印刷により複数形成された絶縁シートを備えており、その絶縁シート上に他の絶縁シートが重ねられかつ外周縁が接合されている。隣り合う導電領域間には非導電領域を介在させており、前記断熱材層１０４には、各非導電領域が対応する位置に、釘の打ち込みが可能な木質部１０６が設けられている。各非導電領域の位置に釘を打って上部板材１０３と下部板材１０５と木質部１０６とを一体化する。
【０００５】
前記上部板材１０３の表面には、図１０に示すように、前記非導電領域に対応する位置に、釘打ちが可能であることをインキで示した表示領域１０８が設けてある。この表示領域１０８に釘を打ち込むと、面状発熱体１０２の導電領域や断熱材層１０４の断熱材１０７を釘が貫通することがなく、板材１０３，１０５と木質部１０６とが一体化され、釘により導電領域が短絡したり断熱材１０７が損傷したりすることがない。
【発明の開示】
【発明が解決しようとする課題】
【０００６】
しかしながら、上記した構成の床暖房用パネル１０１では、２枚の絶縁シートの外周縁が互いに接合されているので、面状発熱体１０２が発熱すると、絶縁シート１０２ａ，１０２ｂ間の隙間の空気が膨張して上部板材１０３を押圧し、さらに上部板材１０３の熱変形も加わるため、フローリング材１１０が隆起し、フローリング材１１０の繋ぎ目部分がめくれ上がるなどの問題があった。
【０００７】
この発明は、上記した問題に着目してなされたもので、面状発熱体の発熱による構成各部の変形を押さえ付けてフローリング材の隆起や繋ぎ目部分のめくり上がりを防止した床暖房用パネルを提供することを目的とする。
【課題を解決するための手段】
【０００８】
この発明による床暖房用パネルは、面状発熱体の上面に上部板材、下面に断熱材層を介して下部板材をそれぞれ重ねられて一体化されたものであり、前記面状発熱体は、上下に重ねられかつ外周縁が接合された２枚の絶縁シートの一方の内面に、発熱部と電極部とから成る導電領域が形成されるとともに、前記導電領域の領域内には、スポット状であって他方の絶縁シートに接合された複数の非導電領域が形成されている。前記断熱材層には、各非導電領域が対応する位置に、木質部が設けられている。
【０００９】
床暖房用パネルの組立に際し、各非導電領域に対応する位置に釘が打ち込まれる。このとき、釘は面状発熱体の導電領域や断熱材を貫通することがないので、導電領域が短絡したり断熱材が損傷したりすることがない。面状発熱体の発熱部が発熱すると、絶縁シート間の隙間の空気が膨張するが、面状発熱体および上部板材は、特に、導電領域の領域内に設けられた複数の非導電領域に釘が打たれて押さえ付けられているので、上部板材が押圧や熱により変形してフローリング材を隆起させたり、繋ぎ目部分をめくり上がらせたりすることがない。
【００１０】
この発明の好ましい実施態様においては、前記面状発熱体は、外周縁の複数箇所に絶縁シート間の隙間に連通する空気抜き用の孔が形成されている。
この実施態様によると、面状発熱体の発熱により絶縁シート間の隙間の空気が膨張しても、空気は空気抜き用の孔から抜けるので、上部板材が上方へ押圧されて変形するのが防止される。
【００１１】
この発明のさらに好ましい実施態様においては、前記面状発熱体上にシート状の電位治療器が配備されている。
前記電位治療器は、一般的に、酸性化している身体をアルカリ化し、肩こり、頭痛などを軽快する効果があるといわれており、この実施態様によると、床暖房空間に負電位が作用し、その雰囲気中にいる人の酸性化した身体を弱アルカリ性に戻すように働きかけられる。
【発明の効果】
【００１２】
この発明によると、面状発熱体の発熱による構成各部の変形を抑えてフローリング材の隆起やめくり上がりを防止することができる。
【発明を実施するための最良の形態】
【００１３】
図１および図２は、この発明の一実施例である床暖房用パネル１の外観および構造を示している。
図示例の床暖房用パネル１は、面状発熱体２の上面にシート状の電位治療器７が重ねられ、その上に上部板材３が重ねられるとともに、前記面状発熱体２の下面に断熱材層４を介して下部板材５が重ねられて成る。
前記上部板材３および下部板材５にはベニヤ板のような合板が用いられている。また、断熱材層４は、後述する木質部６，６０〜６２の間に発泡合成樹脂より成る断熱材４０を充填して成るものである。
【００１４】
前記面状発熱体２は、図３に示すように、印刷によって矩形状をなす複数の導電領域８Ａ〜８Ｆが表面に形成された絶縁シート２ａを備えており、その絶縁シート２ａの印刷された面に他の絶縁シート２ｂを重ねかつ外周縁を接着剤により接合して成る。各絶縁シート２ａ，２ｂとして、ポリエステルのような高分子材料から成る可撓性を有する透明フィルムが用いられている。
【００１５】
前記の各導電領域８Ａ〜８Ｆは、導電性樹脂によって形成される発熱部２０と、発熱部２０に電圧を供給するための櫛歯状の電極部２１，２２とから成るもので、一端の導電領域８Ａの各電極部２１，２２には給電部２３が形成されている。
【００１６】
前記発熱部２０を構成する導電性樹脂は、電気抵抗の温度係数が正である特性、すなわち、温度上昇に伴って電気抵抗が増し、温度低下に伴って電気抵抗が減少する特性を有しており、発熱温度を所望の温度幅に維持する自己温度制御機能が付与されている。この導電性樹脂として、高分子材料に対してカーボンブラックなどの導電性炭素粒子を導電性物質として所定の割合で分散せしめてなる導電性エラストマが用いられている。
【００１７】
前記の各電極部２１，２２は、銅やニッケルなどの金属箔を絶縁シート２ａの表面に熱溶着して形成されており、太い幅の基部２４と細い幅の複数の櫛状部２５とを備えている。基部２４を互いに対向させかつ櫛状部２５を交互に噛み合わせるようにして各電極部２１，２２が配備されている。
【００１８】
隣り合う導電領域の中間には第１の非導電領域８０を介在させるとともに、各導電領域８Ａ〜８Ｆには、スポット状であって他方の絶縁シート２ｂに接着剤により接合された第２の非導電領域８１が形成されている。この実施例では、第２の非導電領域８１は、各導電領域８Ａ〜８Ｆの幅を３等分した各位置であって発熱部２０の領域内に設けられている。図示例の第２の非導電領域８１は、円形であり、対向する櫛状部２５，２５間の間隔より小さい直径に形成されているが、その形状は円形に限らず、矩形であったり多角形であってもよく、その形状は問わない。
【００１９】
なお、６個の導電領域８Ａ〜８Ｆを取り囲む外周縁も非導電領域８２であり、この非導電領域８２に沿って上下の絶縁シート２ａ，２ｂが接合されている。一周する絶縁シート２ａ，２ｂの接合部２６には、所定間隔毎に非接合部分を設けて、絶縁シート２ａ，２ｂ間の隙間に連通する空気抜き用の孔２７が形成されている。
【００２０】
図４は、上記した面状発熱体２上に重ねられる電位治療器７の構成を示している。
図示例の電位治療器７は、複数の櫛歯状の負電位電極７１Ａ〜７１Ｆが表面に形成された可撓性を有する透明の絶縁シート７０を備えており、その絶縁シート７０の表面に同質の他の絶縁シート７２が重ねられかつ接合されたものである。前記負電位電極７１Ａの一端には所定の電位が付与される給電部７５が設けられている。
なお、図中、点線７３で示す帯状の領域は、前記した面状発熱体２の第１の非導電領域８０に、また、点線７４で示すスポット状の領域は、面状発熱体２の第２の非導電領域８１に、それぞれ対応位置する部分であり、負電位電極７１Ａ〜７１Ｆに対して位置ずれしている。
【００２１】
前記断熱材層４は、図５に示すように、複数個に分割された断熱材４０，４０を有し、各断熱材４０をそれぞれ取り囲むように、外周に沿う木質部６と、幅中央部に平行位置する木質部６０，６０と、面状発熱体２の第１の非導電領域８０に対応位置する木質部６１とが配備されている。前記断熱材４０には、面状発熱体２の第２の各非導電領域８１に対応する位置に、上下方向の矩形孔４１が形成され、各矩形孔４１に木質部６２が設けられている。各木質部６，６０〜６２は、釘打ちが可能であれば、木材の材質は問わない。
前記木質部６１は、平面形状が第１の非導電領域８０の外形（長方形状）と一致する長方形状に形成されている。また、木質部６２は、平面形状が第２の非導電領域８１の外形（円形）を含むような正方形状に形成されている。
【００２２】
図１に戻って、前記上部板材３の表面には、前記第１の非導電領域８０に対応する位置と、前記第２の非導電領域８１に対応する位置と、前記外周縁に沿う非導電領域８２に対応する位置とに、それぞれ釘打ちが可能であることをインキで示した表示領域９０，９１，９２が設けてある。各表示領域９０，９１，９２に釘を打ち込むことにより、面状発熱体２の導電領域８Ａ〜８Ｆや断熱材層４の断熱材４０を釘が貫通することなく、上部板材３、電位治療器７、面状発熱体２、下部板材５、および木質部６，６０，６１，６２が一体化されるもので、導電領域８Ａ〜８Ｆが短絡したり断熱材層４を損傷したりすることがない。
【００２３】
なお、上記の実施例の面状発熱体２は１枚構成のものであるが、これに限らず、図６に示すように、複数枚（図示例では３枚）の面状発熱体２Ａ，２Ｂ，２Ｃを連ねた構成であってもよい。
同図の各面状発熱体２Ａ〜２Ｃは、図７に示すように、表面に矩形状をなす導電領域８Ａ，８Ｂが印刷により形成された絶縁シート２ａを備え、その絶縁シート２ａの印刷面側に他の絶縁シート２ｂを重ねかつ外周縁を接着剤により接合して形成されている。前記導電領域８Ａ，８Ｂは、導電性樹脂より成る発熱部２０と、発熱部２０に電圧を供給する櫛歯状の電極部２１，２２とから成り、前記導電領域８Ｂの各電極部２１，２２には給電部２３が設けられている。
【００２４】
床暖房用パネル１を組み立てるに際し、上部板材３、シート状の電位治療器７、面状発熱体２、断熱材層４を構成する断熱材４０および木質部６，６０〜６２、および下部板材５が順次重ねられ、第１、第２の各非導電領域８０，８１および外周縁に沿う非導電領域８２の各位置に多数本の釘が打ち込まれて構成各部が一体化される。このとき、釘は面状発熱体２の導電領域８Ａ〜８Ｆや断熱材層４の断熱材４０を貫通することがないので、導電領域８Ａ〜８Ｆが短絡したり断熱材４０が損傷したりすることはない。
【００２５】
面状発熱体２の発熱部２０が発熱すると、絶縁シート２ａ，２ｂ間の隙間の空気が膨張するが、面状発熱体２および上部板材３は、特に、導電領域８Ａ〜８Ｆの領域内に設けられた第２の非導電領域８１に釘が打たれて押さえ付けられているので、上部板材３が押圧や熱により変形してフローリング材を隆起させたり、フローリング材の繋ぎ目部分をめくり上がらせたりすることがない。
また、面状発熱体２の発熱により絶縁シート２ａ，２ｂ間の隙間の空気が膨張しても、空気は空気抜き用の孔２７から外部へ抜けるので、上部板材３が上方へ押圧されて変形するのが防止される。
【００２６】
さらに、前記面状発熱体２上にシート状の電位治療器７が配備されているので、床暖房空間に負電位が作用し、その雰囲気の中にいる人の酸性化した身体を弱アルカリ性に戻すように働きかけられ、これにより、肩こり、頭痛などを軽快させる。
【図面の簡単な説明】
【００２７】
【図１】この発明の一実施例である床暖房用パネルの構成各部を順次破断して示した平面図である。
【図２】図１のＡ−Ａ線に沿う断面図である。
【図３】上側の絶縁シートを破断して示した面状発熱体の平面図である。
【図４】上側の絶縁シートを破断して示した電位治療器の平面図である。
【図５】断熱材層の構成を示す平面図である。
【図６】面状発熱体の他の実施例を示す平面図である。
【図７】上側の絶縁シートを破断して示した図６の面状発熱体の平面図である。
【図８】フローリング材を破断して示した暖房床の斜視図である。
【図９】従来の床暖房用パネルの断面図である。
【図１０】従来の床暖房用パネルの平面図である。
【符号の説明】
【００２８】
１    床暖房用パネル
２    面状発熱体
２ａ，２ｂ  絶縁シート
３    上部板材
４    断熱材層
５    下部板材
７    電位治療器
８Ａ〜８Ｆ  導電領域
２０  発熱部
２１  電極部
２７  空気抜き用の孔
８０  第１の非導電領域
８１  第２の非導電領域
【図１】
2007139294.tif 000003
【図２】
2007139294.tif 000004
【図３】
2007139294.tif 000005
【図４】
2007139294.tif 000006
【図５】
2007139294.tif 000007
【図６】
2007139294.tif 000008
【図７】
2007139294.tif 000009
【図８】
2007139294.tif 000010
【図９】
2007139294.tif 000011
【図１０】
2007139294.tif 000012